【手続補正書】
【提出日】平成24年7月10日(2012.7.10)
【手続補正１】
【補正対象書類名】特許請求の範囲
【補正対象項目名】全文
【補正方法】変更
【補正の内容】
【特許請求の範囲】
【請求項１】
同じ色のインクを吐出する記録手段と記録媒体との第１および第２の相対移動を含む複数回の相対移動によって同一の所定領域に記録を行うために、当該所定領域に対応する入力画像データを処理するための画像処理装置であって、
前記入力画像データに基づいて、前記第１の相対移動に対応した第１の多値画像データおよび前記第２の相対移動に対応した第２の多値画像データを生成するための生成手段と、
前記第１の多値画像データに基づいて前記第２の多値画像データに量子化処理を行い、且つ、前記第２の多値画像データに基づいて前記第１の多値画像データに量子化処理を行うための量子化手段と、
を備えることを特徴とする画像処理装置。
【請求項２】
同じ色のインクを吐出する記録手段と記録媒体との複数回の相対移動によって同一の所定領域に記録を行うために、当該所定領域に対応する入力画像データを処理するための画像処理装置であって、
前記入力画像データに基づいて、前記複数回の相対移動のうちの少なくとも１回の相対移動に対応した第１の多値画像データおよび前記複数回の相対移動のうちの他の少なくとも１回の相対移動に対応した第２の多値画像データを生成するための生成手段と、
前記第１の多値画像データに基づいて前記第２の多値画像データに量子化処理を行い、且つ、前記第２の多値画像データに基づいて前記第１の多値画像データに量子化処理を行うための量子化手段と、
を備えることを特徴とする画像処理装置。
【請求項３】
前記量子化処理は誤差拡散処理であり、
前記量子化手段は、前記第１の多値画像データに誤差拡散処理を行う場合に用いる閾値を前記第２の多値画像データに基づいて決定し、決定された閾値に基づいて前記第１の多値画像データに誤差拡散処理を行い、且つ、前記第２の多値画像データに誤差拡散処理を行う場合に用いる閾値を前記第１の多値画像データに基づいて決定し、決定された閾値に基づいて前記第２の多値画像データに誤差拡散処理を行うことを特徴とする請求項１または２に記載の画像処理装置。
【請求項４】
前記複数回の相対移動は、前記記録媒体の同一の所定領域に対して前記記録手段が複数回対向するように移動することであることを特徴とする請求項１乃至３のいずれか１項に記載の画像処理装置。
【請求項５】
前記生成手段は、前記複数回の相対移動のうちの第３の相対移動に対応した第３の多値画像データを更に生成し、
前記量子化処理は誤差拡散処理であり、
前記量子化手段は、前記第１の多値画像データに誤差拡散処理を行う場合に用いる閾値を前記第２および第３の多値画像データに基づいて決定し、決定された閾値に基づいて前記第１の多値画像データに誤差拡散処理を行い、且つ、前記第２の多値画像データに誤差拡散処理を行う場合に用いる閾値を前記第１および第３の多値画像データに基づいて決定し、決定された閾値に基づいて前記第２の多値画像データに誤差拡散処理を行い、且つ、前記第３の多値画像データに誤差拡散処理を行う場合に用いる閾値を前記第１および第２の多値画像データに基づいて決定し、決定された閾値に基づいて前記第３の多値画像データに誤差拡散処理を行うことを特徴とする請求項１に記載の画像処理装置。
【請求項６】
前記量子化手段は、前記第１の多値画像データに誤差拡散処理を行う場合に用いる閾値を前記第２および第３の多値画像データの和あるいは前記第２および第３の多値画像データの最大値に基づいて決定し、前記第２の多値画像データに誤差拡散処理を行う場合に用いる閾値を前記第１および第３の多値画像データの和あるいは前記第１および第３の多値画像データの最大値に基づいて決定し、前記第３の多値画像データに誤差拡散処理を行う場合に用いる閾値を前記第１および第２の多値画像データの和あるいは前記第１および第２の多値画像データの最大値に基づいて決定することを特徴とする請求項５に記載の画像処理装置。
【請求項７】
前記量子化手段は２値の量子化処理によって２値の量子化データを生成することを特徴とする請求項１乃至６のいずれか１項に記載の画像処理装置。
【請求項８】
前記量子化手段は、誤差拡散法を用いたＬ（Ｌは３以上の整数）値の量子化処理によってＬ値の量子化データを生成し、前記Ｌ値の量子化データをドットパターンによって２値の量子化データに変換することを特徴とする請求項１乃至６のいずれか１項に記載の画像処理装置。
【請求項９】
前記生成手段は、前記入力画像データと少なくとも前記第１および第２の多値画像データとが対応付けられたテーブルを有し、当該テーブルを用いて前記入力画像データを少なくとも前記第１および第２の多値画像データに変換することを特徴とする請求項１乃至８のいずれか１項に記載の画像処理装置。
【請求項１０】
前記入力画像データはＲＧＢデータであることを特徴とする請求項１乃至９のいずれか１項に記載の画像処理装置。
【請求項１１】
コンピュータを、請求項１乃至１０のいずれか１項に記載の画像処理装置として機能させることを特徴とするコンピュータ可読プログラム。
【請求項１２】
同じ色のインクを吐出する記録手段と記録媒体との第１および第２の相対移動を含む複数回の相対移動によって同一の所定領域に記録を行うために、当該所定領域に対応する入力画像データを処理するための画像処理方法であって、
前記入力画像データに基づいて、前記第１の相対移動に対応した第１の多値画像データおよび前記第２の相対移動に対応した第２の多値画像データを生成する工程と、
前記第１の多値画像データに基づいて前記第２の多値画像データに量子化処理を行い、且つ、前記第２の多値画像データに基づいて前記第１の多値画像データに量子化処理を行う工程と、
を備えることを特徴とする画像処理方法。
【請求項１３】
同じ色のインクを吐出する記録手段と記録媒体との複数回の相対移動によって同一の所定領域に記録を行うために、当該所定領域に対応する入力画像データを処理するための画像処理方法であって、
前記入力画像データに基づいて、前記複数回の相対移動のうちの少なくとも１回の相対移動に対応した第１の多値画像データおよび前記複数回の相対移動のうちの他の少なくとも１回の相対移動に対応した第２の多値画像データを生成する工程と、
前記第１の多値画像データに基づいて前記第２の多値画像データに量子化処理を行い、且つ、前記第２の多値画像データに基づいて前記第１の多値画像データに量子化処理を行う工程と、
を備えることを特徴とする画像処理方法。
【請求項１４】
前記量子化処理は誤差拡散処理であり、
前記量子化工程は、前記第１の多値画像データに誤差拡散処理を行う場合に用いる閾値を前記第２の多値画像データに基づいて決定し、決定された閾値に基づいて前記第１の多値画像データに誤差拡散処理を行い、且つ、前記第２の多値画像データに誤差拡散処理を行う場合に用いる閾値を前記第１の多値画像データに基づいて決定し、決定された閾値に基づいて前記第２の多値画像データに誤差拡散処理を行うことを特徴とする請求項１２または１３に記載の画像処理方法。
【請求項１５】
前記複数回の相対移動は、前記記録媒体の同一の所定領域に対して前記記録手段が複数回対向するように移動することであることを特徴とする請求項１２ないし１４のいずれか１項に記載の画像処理方法。
【手続補正２】
【補正対象書類名】明細書
【補正対象項目名】００１８
【補正方法】変更
【補正の内容】
【００１８】
上記課題を解決するための本発明は、同じ色のインクを吐出する記録手段と記録媒体との第１および第２の相対移動を含む複数回の相対移動によって同一の所定領域に記録を行うために、当該所定領域に対応する入力画像データを処理するための画像処理装置であって、前記入力画像データに基づいて、前記第１の相対移動に対応した第１の多値画像データおよび前記第２の相対移動に対応した第２の多値画像データを生成するための生成手段と、前記第１の多値画像データに基づいて前記第２の多値画像データに量子化処理を行い、且つ、前記第２の多値画像データに基づいて前記第１の多値画像データに量子化処理を行うための量子化手段と、を備えることを特徴とする。